(57)【要約】【課題】製造作業の容易な熱交換器を提供する。【解決手段】コンデンサに適用される熱交換器のヘッダタンクに、配管部材11や取付用ブラケットとしての付属部品が固定されている。配管部材11に、ヘッダタンクのヘッダタンク用パイプ７を通す挿通部14を設ける。挿通部14は、長手方向にのびるろう付継ぎ目の無い筒状であり、挿通部14の周壁の少なくとも一部分をかしめて内側に塑性変形させることによって、配管部材11をヘッダタンク用パイプ７に仮止めする。この仮止め状態で配管部材11をヘッダタンク用パイプ７にろう付する。【選択図】図２
2015017779.tif 000002
【特許請求の範囲】
【請求項１】
互いに間隔をおいて配置された１対のヘッダタンクと、両ヘッダタンク間に並列状に配置されて両端部が両ヘッダタンクに接続された複数の熱交換管と、隣り合う熱交換管どうしの間に配置されたフィンとを備えており、少なくともいずれか一方のヘッダタンクに、付属部品が固定されている熱交換器において、
付属部品に、ヘッダタンクを通す挿通部が設けられており、ヘッダタンクが付属部品の挿通部に通され、付属部品の少なくとも一部分が塑性変形させられることにより付属部品がヘッダタンクに仮止めされ、この仮止め状態で付属部品がヘッダタンクにろう付されている熱交換器。
【請求項２】
付属部品の挿通部に、熱交換管との干渉を避ける貫通穴が形成されている請求項１記載の熱交換器。
【請求項３】
付属部品の挿通部に１つの貫通穴が形成され、当該貫通穴に複数の熱交換管が通されている請求項２記載の熱交換器。
【請求項４】
付属部品の挿通部に複数の貫通穴が形成され、各貫通穴に少なくとも１つの熱交換管が通されている請求項２記載の熱交換器。
【請求項５】
付属部品の挿通部が、長手方向にのびるろう付継ぎ目のない筒状であり、挿通部の周壁の少なくとも一部分が内側に塑性変形させられることにより、付属部品がヘッダタンクに仮止めされている請求項１〜４のうちのいずれかに記載の熱交換器。
【請求項６】
付属部品の挿通部が、長手方向の全長にわたるろう付継ぎ目を有する筒状であり、互いにろう付された両縁部のうちいずれか一方の縁部に挟着部が設けられるとともに、同他方の縁部に挟着部により挟着される被挟着部が設けられ、挟着部が塑性変形させられて被挟着部を挟着することにより、付属部品がヘッダタンクに仮止めされている請求項１〜４のうちのいずれかに記載の熱交換器。
【請求項７】
付属部品が、ヘッダタンク内と通じる冷媒通過穴を有する配管部品である請求項１〜６のうちのいずれかに記載の熱交換器。
【請求項８】
付属部品が、取付用ブラケットである請求項１〜６のうちのいずれかに記載の熱交換器。
【発明の詳細な説明】
【技術分野】
【０００１】
この発明は、熱交換器に関する。
【０００２】
この明細書および特許請求の範囲において、図１の上下、左右を上下、左右というものとする。  
【背景技術】
【０００３】
たとえば車両のカーエアコンのコンデンサに適用される熱交換器として、左右方向に間隔をおいて配置された上下方向にのびる１対のヘッダタンクと、両ヘッダタンク間に上下方向に間隔をおいて並列状に配置されかつ両端部が両ヘッダタンクにそれぞれ接続された複数の扁平状熱交換管と、隣接する熱交換管間に配置されたフィンと、一方のヘッダタンクにろう付され、かつ当該一方のヘッダタンクの内部に通じる冷媒流路を有する入口側配管部材と、当該一方のヘッダタンクまたは他方のヘッダタンクにろう付され、かつ当該一方のヘッダタンクまたは他方のヘッダタンクの内部に通じる冷媒流路を有する出口側配管部材とを備えており、付属部品としての入口側配管部材および出口側配管部材が、点溶接によりヘッダタンクに仮止めされた状態でヘッダタンクにろう付されているものが知られている（特許文献１参照）。
【０００４】
特許文献１記載の熱交換器は、全部品を組み立てるとともに、入口側配管部材および出口側配管部材をヘッダタンクに点溶接により仮止めし、必要箇所にフラックス懸濁液を塗布し、その後全部品を炉中において一括ろう付することにより製造される。
【０００５】
しかしながら、特許文献１記載の熱交換器においては、製造時に、入口側配管部材および出口側配管部材をヘッダタンクに点溶接により仮止めする作業が面倒であり、ひいては製造作業が面倒になるという問題がある。
【先行技術文献】
【特許文献】
【０００６】
【特許文献１】特開２００６−５７９５０号公報
【発明の概要】
【発明が解決しようとする課題】
【０００７】
この発明の目的は、上記問題を解決し、製造作業の容易な熱交換器を提供することにある。
【課題を解決するための手段】
【０００８】
本発明は、上記目的を達成するために以下の態様からなる。
【０００９】
1)互いに間隔をおいて配置された１対のヘッダタンクと、両ヘッダタンク間に並列状に配置されて両端部が両ヘッダタンクに接続された複数の熱交換管と、隣り合う熱交換管どうしの間に配置されたフィンとを備えており、少なくともいずれか一方のヘッダタンクに、付属部品が固定されている熱交換器において、
付属部品に、ヘッダタンクを通す挿通部が設けられており、ヘッダタンクが付属部品の挿通部に通され、付属部品の少なくとも一部分が塑性変形させられることにより付属部品がヘッダタンクに仮止めされ、この仮止め状態で付属部品がヘッダタンクにろう付されている熱交換器。
【００１０】
2)付属部品の挿通部に、熱交換管との干渉を避ける貫通穴が形成されている上記1)記載の熱交換器。
【００１１】
3)付属部品の挿通部に１つの貫通穴が形成され、当該貫通穴に複数の熱交換管が通されている上記2)記載の熱交換器。
【００１２】
4)付属部品の挿通部に複数の貫通穴が形成され、各貫通穴に少なくとも１つの熱交換管が通されている上記2)記載の熱交換器。
【００１３】
5)付属部品の挿通部が、長手方向にのびるろう付継ぎ目のない筒状であり、挿通部の周壁の少なくとも一部分が内側に塑性変形させられることにより、付属部品がヘッダタンクに仮止めされている上記1)〜4)のうちのいずれかに記載の熱交換器。
【００１４】
6)付属部品の挿通部が、長手方向の全長にわたるろう付継ぎ目を有する筒状であり、互いにろう付された両縁部のうちいずれか一方の縁部に挟着部が設けられるとともに、同他方の縁部に挟着部により挟着される被挟着部が設けられ、挟着部が塑性変形させられて被挟着部を挟着することにより、付属部品がヘッダタンクに仮止めされている上記1)〜4)のうちのいずれかに記載の熱交換器。
【００１５】
7)付属部品が、ヘッダタンク内と通じる冷媒通過穴を有する配管部品である上記1)〜6)のうちのいずれかに記載の熱交換器。
【００１６】
8)付属部品が、取付用ブラケットである上記1)〜6)のうちのいずれかに記載の熱交換器。
【発明の効果】
【００１７】
上記1)〜8)の熱交換器は、たとえば両端が開口したヘッダタンク用パイプ、ヘッダタンク用パイプの両端開口を閉鎖する閉鎖部材、熱交換管、フィン、サイドプレートおよび付属部品を用意し、付属部品をヘッダタンク用パイプに仮止めした後に、ヘッダタンク用パイプ閉鎖部材、熱交換管、フィンおよびサイドプレートを組み合わせ、すべての部品をろう付することにより製造される。そして、上記1)〜8)の熱交換器によれば、付属部品に、ヘッダタンクを通す挿通部が設けられており、ヘッダタンクが付属部品の挿通部に通され、付属部品の少なくとも一部分が塑性変形させられることにより付属部品がヘッダタンクに仮止めされ、この仮止め状態で付属部品がヘッダタンクにろう付されているので、付属部品のヘッダタンクへの仮止め作業が、特許文献１記載の熱交換器のように点溶接により行う場合に比べて容易になり、ひいては熱交換器の製造作業が容易になる。
【００１８】
上記2)〜4)の熱交換器によれば、ヘッダタンク用パイプと熱交換管とを組み合わせる際に、付属部品が熱交換管と干渉することが防止される。
【図面の簡単な説明】
【００１９】
【図１】この発明による熱交換器を適用したコンデンサの全体構成を示す正面図である。
【図２】図１のコンデンサにおける配管部材が固定されている部分の構成を一部を省略して示す拡大斜視図である。
【図３】図２の配管部材をヘッダタンクを構成するヘッダタンク用パイプに仮止めする方法を示す分解斜視図である。
【図４】図１のコンデンサにおける取付用ブラケットが固定されている部分の構成を一部を省略して示す拡大斜視図である。
【図５】図１のコンデンサに用いられる取付用ブラケットのヘッダタンク用パイプに仮止めする前の状態を示す斜視図である。
【図６】図１のコンデンサに用いられる配管部材の変形例を示し、コンデンサにおける配管部材が固定されている部分の構成を一部を省略して示す拡大斜視図である。
【図７】図６の配管部材のヘッダタンク用パイプに仮止めする前の状態を示す斜視図である。
【図８】図１のコンデンサに用いられる取付用ブラケットの変形例を示し、ヘッダタンクを構成するヘッダタンク用パイプに仮止めした後の状態を示す拡大斜視図である。
【発明を実施するための形態】
【００２０】
以下、この発明の実施形態を、図面を参照して説明する。この実施形態は、この発明による熱交換器を、車両用空調装置のコンデンサに適用したものである。
【００２１】
以下の説明において、図１の上下、左右を上下、左右というものとする。また、風は、図１の紙面表裏方向を通風方向というものとする。
【００２２】
また、以下の説明において、「アルミニウム」という用語には、純アルミニウムの他にアルミニウム合金を含むものとする。
【００２３】
さらに、全図面を通じて同一物および同一部分には同一符号を付して重複する説明を省略する。
【００２４】
図１において、車両用空調装置のコンデンサ(1)は、長手方向を上下方向に向けた状態で左右方向に間隔をおいて配置された１対のアルミニウム製ヘッダタンク(2)(3)と、長手方向を左右方向に向けるとともに幅方向を通風方向に向けた状態で両ヘッダタンク(2)(3)間に上下方向に間隔をおいて配置され、かつ両端部が両ヘッダタンク(2)(3)に接続された複数のアルミニウム製扁平状熱交換管(4)と、隣り合う熱交換管(4)どうしの間、および上下両端の熱交換管(4)の外側に配置されて熱交換管(4)にろう付されたアルミニウム製コルゲートフィン(5)と、上下両端のコルゲートフィン(5)の外側に配置されてコルゲートフィン(5)にろう付されたアルミニウム製サイドプレート(6)とよりなる。
【００２５】
両ヘッダタンク(2)(3)は、それぞれ上下両端が開口したアルミニウム製ヘッダタンク用パイプ(7)と、ヘッダタンク用パイプ(7)の上下両端部にろう付されてヘッダタンク用パイプ(7)の両端開口を閉鎖するアルミニウム製閉鎖部材(8)とよりなる。
【００２６】
右側ヘッダタンク(3)は、高さ方向の中間部において仕切部材(9)により上下２つのヘッダ部(3a)(3b)に仕切られており、右側ヘッダタンク(3)の上ヘッダ部(3a)に冷媒入口（図示略）が形成されるとともに、同下ヘッダ部(3b)に冷媒出口（図示略）が形成されている。右側ヘッダタンク(3)に、冷媒流路(11a)を有する２つのアルミニウム製配管部材(11)が、ヘッダタンク用パイプ(7)に仮止めされた状態でろう付されている。配管部材(11)が本発明における付属部品である。一方の配管部材(11)の冷媒流路(11a)が上ヘッダ部(3a)の冷媒入口に通じ、冷媒入口管が接続されるようになっている。また、他方の配管部材(11)の冷媒流路(11a)が下ヘッダ部(3b)の冷媒出口に通じ、冷媒出口管が接続されるようになっている。
【００２７】
左右両ヘッダタンク(2)(3)に、コンデンサ(1)を車両に取り付ける際に利用される貫通穴(12a)を有する複数のアルミニウム製取付用ブラケット(12)が、左右両ヘッダタンク(2)(3)の長さ方向に間隔をおいてヘッダタンク用パイプ(7)に仮止めされた状態でろう付されている。取付用ブラケット(12)も本発明における付属部品である。
【００２８】
図２に示すように、両配管部材(11)は押出形材製であって、上述した冷媒流路(11a)、および配管を接続する際に利用されるねじ穴(11b)が形成されたブロック状の本体部(13)と、本体部(13)に一体に設けられかつヘッダタンク(3)のヘッダタンク用パイプ(7)を通す挿通部(14)とよりなる。挿通部(14)は、長手方向にのびるろう付継ぎ目の無い筒状であり、挿通部(14)の周壁の少なくとも一部分がかしめられて内側に塑性変形させられることによって、配管部材(11)がヘッダタンク用パイプ(7)に仮止めされ、この仮止め状態で配管部材(11)がヘッダタンク用パイプ(7)にろう付されている。挿通部(14)の周壁における熱交換管(4)側の部分には上下方向に長くかつ熱交換管(4)との干渉を避ける１つの貫通穴(15)が形成されており、貫通穴(15)の上下方向の範囲内に、ヘッダタンク用パイプ(7)に形成された複数の管挿通穴(7a)が位置し、貫通穴(15)に複数の熱交換管(4)が通されている。
【００２９】
配管部材(11)のヘッダタンク用パイプ(7)への仮止めは、図３に示すように、配管部材(11)の挿通部(14)にヘッダタンク用パイプ(7)を通し、挿通部(14)の周壁における熱交換管(4)側を向いた部分(14a)をかしめて内側に塑性変形させることにより行われる。
【００３０】
図４に示すように、取付用ブラケット(12)は押出形材製であって、貫通穴(12a)が形成された板状の本体部(16)と、本体部(16)に一体に設けられかつヘッダタンク(3)のヘッダタンク用パイプ(7)を通す挿通部(17)とよりなる。挿通部(17)は、長手方向の全長にわたるろう付継ぎ目(18)を有する筒状であり、互いにろう付された両縁部(17a)(17b)のうちいずれか一方の縁部(17a)に外方に突出するとともに開口が内側を向いたフック状の挟着部(19)が一体に設けられるとともに、他方の縁部(17b)に外方に突出した平板状の被挟着部(21)が一体に設けられている。そして、一方の縁部(17a)の挟着部(19)が塑性変形させられて他方の縁部(17b)の被挟着部(21)が挟着されることによって、取付用ブラケット(12)がヘッダタンク用パイプ(7)に仮止めされ、この状態で取付用ブラケット(12)ががヘッダタンク用パイプ(7)にろう付されている。
【００３１】
挿通部(17)の周壁における熱交換管(4)側の部分には上下方向に長くかつ熱交換管(4)との干渉を避ける貫通穴(22)が形成されており、貫通穴(22)の上下方向の範囲内に、ヘッダタンク用パイプ(7)に形成された複数の管挿通穴(7a)が位置し、貫通穴(22)に複数の熱交換管(4)が通されている。
【００３２】
取付用ブラケット(12)のヘッダタンク用パイプ(7)への仮止めは、図５に示すようにして行われる。すなわち、挿通部(17)の一方の縁部(17a)に、外方に突出しかつ挟着部(19)を形成する平板状部(23)を一体に設けておく。平板状部(23)の突出長さは、挿通部(17)の他方の縁部(17b)に設けられた被挟着部(21)の突出長さに、被挟着部(21)の肉厚を加えた長さよりも長くなっている。その後、平板状部(23)における被挟着部(21)よりも突出した部分を塑性変形させることにより曲げて挟着部(19)を形成し、挟着部(19)により被挟着部(21)を挟着する。こうして、取付用ブラケット(12)がヘッダタンク用パイプ(7)に仮止めされる。
【００３３】
上述した実施形態において、配管部材(11)に、取付用ブラケット(12)の挿通部(17)と同様な構成の挿通部が設けられていてもよく、あるいは取付用ブラケット(12)に配管部材(11)の挿通部(14)と同様な構成の挿通部が設けられていてもよい。
【００３４】
図６および図７は配管部材の変形例を示す。
【００３５】
図６および図７に示す配管部材(30)の場合、挿通部(14)の周壁における熱交換管(4)側の部分に、熱交換管(4)との干渉を避ける複数の貫通穴(31)が上下方向に間隔をおいて形成されており、貫通穴(31)の上下方向の範囲内に、ヘッダタンク用パイプ(7)に形成された少なくとも１つ、ここでは１つの管挿通穴(7a)が位置し、各貫通穴(31)に少なくとも１つの熱交換管(4)が通されている。
【００３６】
その他の構成は、図２および図３に示す配管部材(11)と同様である。
【００３７】
なお、図４および図５に示す取付用ブラケット(12)の挿通部(17)にも、図６および図７に示す配管部材(30)と同様に複数の貫通穴が形成され、各貫通穴の上下方向の範囲内に、ヘッダタンク用パイプ(7)に形成された少なくとも１つの管挿通穴(7a)が位置し、各貫通穴(31)に少なくとも１つの熱交換管(4)が通されていてもよい。
【００３８】
図８は取付用ブラケットの変形例を示す。
【００３９】
図８に示す取付用ブラケット(40)の場合、本体部(16)に一体に設けられかつヘッダタンク(3)のヘッダタンク用パイプ(7)を通す挿通部(41)は、長手方向にのびるろう付継ぎ目の無い筒状である。
【００４０】
そして、取付用ブラケット(40)のヘッダタンク用パイプ(7)への仮止めは、取付用ブラケット(40)の挿通部(41)にヘッダタンク用パイプ(7)を通した後、挿通部(41)の周壁の複数箇所を、かしめ工具(42)により内側に押圧してかしめて塑性変形させ、かしめ部(43)を形成することによって行われる。
【００４１】
その他の構成は、図４および図５に示す取付用ブラケット(12)と同様である。
【００４２】
なお、図８に示す取付用ブラケット(40)の挿通部(41)にも、図６および図７に示す配管部材(30)と同様に複数の貫通穴が形成され、貫通穴(31)の上下方向の範囲内に、ヘッダタンク用パイプ(7)に形成された少なくとも１つ、ここでは１つの管挿通穴(7a)が位置し、貫通穴(31)に少なくとも１つの熱交換管(4)が通されていてもよい。
【００４３】
上記実施形態においては、この発明による熱交換器が車両用空調装置のコンデンサに適用されているが、これに限定されるものではなく、他の用途の熱交換器にも適用可能である。
【産業上の利用可能性】
【００４４】
この発明による熱交換器は、車両用空調装置のコンデンサとして好適に用いられる。
【符号の説明】
【００４５】
(1)：コンデンサ（熱交換器）
(2)(3)：ヘッダタンク
(4)：熱交換管
(5)：コルゲートフィン
(11)：配管部材（付属部品）
(11a)：冷媒通過穴
(12)：取付用ブラケット（付属部品）
(14)(17)(41)：挿通部
(17a)(17b)：縁部
(15)(22)(31)：貫通穴
(18)：ろう付継ぎ目
(19)：挟着部
(21)：被挟着部
【図１】
2015017779.tif 000003
【図２】
2015017779.tif 000004
【図３】
2015017779.tif 000005
【図４】
2015017779.tif 000006
【図５】
2015017779.tif 000007
【図６】
2015017779.tif 000008
【図７】
2015017779.tif 000009
【図８】
2015017779.tif 000010